(57)【要約】【課題】不要になった遺品を、遺族の心情を損なうことなく低コストで処分できるようにする。【解決手段】袋状の収納部３０及びチャック３１ａを有した開口部３１からなり収納部３０に収納物を収納して吸引手段で内部空気を外部に排出することで収納部３０の体積を縮小しながら密閉可能とされ布団又は／及び衣類の繊維系遺品を収納するための脱気用中袋３と、布材を中空直方体状に形成してなり側面上端側で周方向に設けられたファスナー２０ａで上面が開閉可能とされて脱気用中袋３を収装するとともに持ち手２０ｃ，２０ｃ，２０ｄ，２０ｄが側面所定位置に設けられた運搬用外袋２Ａを備えており、遺品を供養及び処分する際の収納手段として用いられるものであって、運搬用外袋２Ａ内の繊維系遺品を収納した脱気用中袋３の上方に所定サイズの空間が形成され、この空間に布団・衣類以外の非繊維系遺品を収納するものとした。【選択図】図１
0003154655.tif 000002
【実用新案登録請求の範囲】
【請求項１】
合成樹脂シートを袋状に形成した収納部及び開閉自在なチャックを有した開口部からなり前記収納部に収納物を収納して前記チャックを閉じた状態で所定の吸引手段で内部空気を外部に排出することにより前記収納部の体積を縮小しながら密閉可能として布団又は／及び衣類の繊維系遺品を収納するための脱気用中袋と、布材を中空直方体状に形成してなり側面上端側で周方向に設けられたファスナーにより上面が開閉可能とされて前記脱気用中袋を収装するとともに搬送時に手で掴むための把持手段が側面の所定位置に設けられた運搬用外袋を備えており、遺品を供養及び処分する際の収納手段として用いられる供養品収納袋であって、前記運搬用外袋内の前記繊維系遺品を収納した前記脱気用中袋の上方に所定サイズの空間が形成され、該空間に前記布団・衣類以外の非繊維系遺品を収納する、ことを特徴とする供養品収納袋。
【請求項２】
前記運搬用外袋には、その上部側に前記非繊維系遺品を収納する前記空間と外部との間で前記非繊維系遺品を出し入れするためのファスナー開閉式の出し入れ口が設けられており、且つ、前記空間が前記脱気用中袋を収装する空間とは区画されている、ことを特徴とする請求項１に記載した供養品収納袋。
【請求項３】
前記ファスナーは、側面の上端から下方に所定間隔を有した高さで少なくとも３つの側面に亘って設けられており、前記ファスナーから上の部分がシート状の区画手段で水平方向に区画されて所定の厚さを有した中空の蓋部を構成しており、該蓋部内に前記非繊維系遺品を収納するための空間が形成されている、ことを特徴とする請求項１または２に記載した供養品収納袋。
【請求項４】
前記運搬用外袋の側面所定位置には、主として透明シート材からなり差し込んだ書類の記載内容を外部から目視可能とする伝票用ポケットが設けられている、ことを特徴とする請求項１，２または３に記載した供養品収納袋。
【請求項５】
前記運搬用外袋の側面所定位置には、収納物を外部から確認するための透明シート材からなる確認用窓が設けられている、ことを特徴とする請求項１，２，３または４に記載した供養品収納袋。
【請求項６】
前記把持手段には、１本の帯状部材が角丸長方形の環状とされ前記運搬用外袋の所定の側面から底面を経て対向側の側面まで帯状に並列した状態で設けられ、両端側の弧状部分が側面から突出して１対の持ち手を構成しているものを含む、ことを特徴とする請求項１，２，３，４または５に記載した供養品収納袋。
【考案の詳細な説明】
【技術分野】
【０００１】
本考案は、供養品収納袋に関し、殊に、故人が使用していた布団や愛用の品を収納し、所定の場所で供養した後に処理施設に搬送するための供養品収納袋に関する。  
【背景技術】
【０００２】
一般に、故人が亡くなる際に使用していた布団は、特有の臭いがあることに加え心情的にも使用に抵抗があることから、その後は使用されずに廃棄されることも多い。この場合、葬儀業者に葬式のゴミ類と一緒に布団の廃棄を依頼することも考えられるが、葬儀業者は廃棄物処理の免許を持っていないのが通常である。
【０００３】
また、故人が使用していた布団を一般のゴミと一緒に処分することについて、遺族は抵抗を感じやすいものである。さらに、故人が愛用していた布団以外の物品については、その総てが遺族にとって形見分けとして譲り受けたいものとは限らず、残ったものは処分されることになる。この場合も、故人の愛着が残る遺品をそのまま一般ゴミとして廃棄することは、遺族の心情として抵抗感が伴うことになる。
【０００４】
そこで、故人が使用していた布団や愛用の品（遺品）を、所定の場所に集めて僧侶等が供養を行い、その後、廃棄物用の処理施設に搬送して処分することが考えられる。例えば、実登３１１６１７７号公報には、運搬用袋と消臭用のポリ製中袋からなり、故人が使用していた布団をポリ製中袋に収納し消臭液で処理して開口部を塞ぎ、持ち手を備えた運搬用袋に入れて１箇所に集め、僧侶が供養した後に処理施設に搬送するものとして、保管・搬送用の収納手段として用いる布団袋が提案されている。
【０００５】
このように、ポリ製中袋に布団を入れて消臭処理を行ってから開口部を塞ぐことで、布団の臭いが流出することを回避できるとともに、運搬用袋に入れることで持ちやすく運搬作業を容易なものとし、さらに、僧侶による供養を施すことにより、その後に他のゴミと一緒に処理されても遺族の心情として抵抗感の少ないものとなる。
【０００６】
しかしながら、布団は一組でも大きく嵩張りやすいため、これを１箇所に集めて供養及び処分する場合には保管・搬送コストが嵩みやすく、遺族の負担が大きくなりやすい。また、前述したように、故人が愛用していた装身具などの布団・衣類以外の非繊維系の遺品を処分する場合は、これらを布団と一緒にポリ製中袋に入れてしまうと、角のあるものでは袋に穴を空けて防臭機能が損なわれるとともに、処分時に分別の手間が増してさらに処理コストが増すことになる。
【先行技術文献】
【特許文献】
【０００７】
【特許文献１】実登３１１６１７７号公報
【考案の概要】
【考案が解決しようとする課題】
【０００８】
本考案は、上記のような問題を解決しようとするものであり、不要になった遺品を、遺族の心情を損なうことなく低コストで処分できるようにすることを課題とする。
【課題を解決するための手段】
【０００９】
そこで、本考案は、合成樹脂シートを袋状に形成した収納部及び開閉自在なチャックを有した開口部からなりその収納部に収納物を収納してチャックを閉じた状態で所定の吸引手段で内部空気を外部に排出することにより収納部の体積を縮小しながら密閉可能として布団又は／及び衣類の繊維系遺品を収納するための脱気用中袋と、布材を中空直方体状に形成してなり側面上端側で周方向に設けられたファスナーにより上面が開閉可能とされて脱気用中袋を収装するとともに搬送時に手で掴むための把持手段が側面の所定位置に設けられた運搬用外袋を備えており、遺品を供養及び処分する際の収納手段として用いられる供養品収納袋であって、その運搬用外袋内の繊維系遺品を収納した脱気用中袋の上方に所定サイズの空間が形成され、この空間に布団・衣類以外の非繊維系遺品を収納する、ことを特徴とするものとした。
【００１０】
このように、供養品収納袋を脱気用中袋と運搬用外袋の二重構造とし、嵩張りやすく臭いの出やすい布団や衣類などの繊維系遺品を、脱気用中袋に収納後脱気して密閉することにより、体積をコンパクトに縮小しながら臭いの流出を防止可能として搬送・保管に有用なものとなり、これを運搬用外袋に入れてその上方に形成された空間に非繊維系遺品を収納するものとしたことで、非繊維系遺品に角部があっても脱気用中袋を傷つけにくい状態としながら保管・搬送に適したものとなり、且つ、処分時における分別の手間を最小限に抑えることが可能となる。
【００１１】
また、この供養品収納袋において、その運搬用外袋には、その上部側に非繊維系遺品を収納する空間と外部との間で非繊維系遺品を出し入れするためのファスナー開閉式の出し入れ口が設けられており、且つ、その空間が脱気用中袋を収装する空間とは区画されていることを特徴としたものとすれば、非繊維系遺品を脱気用中袋に入れた状態で運搬用外袋に収装し上面を閉じた後でも、専用の出し入れ口を介して非繊維系遺品を出し入れできるものとなり、収納及び処分の際に一層に便利なものとなる。
【００１２】
さらに、この場合、その運搬用外袋の上面を開閉するためのファスナーは、側面の上端から下方に所定間隔を有した高さで少なくとも３つの側面に亘って設けられており、このファスナーから上の部分がシート状の区画手段で水平方向に区画されて所定の厚さを有した中空の蓋部を構成しており、この蓋部内に非繊維系遺品を収納するための空間が形成されていることを特徴としたものとすれば、所望する非繊維系遺品のための収納空間を確保しやすいとともに、非繊維系遺品で脱気用中袋を傷つける畏れがさらに少ないものとなる。
【００１３】
さらにまた、上述した供養品収納袋において、その運搬用外袋の側面所定位置には、主として透明シート材からなり差し込んだ書類の記載内容を外部から目視可能とする伝票用ポケットが設けられていることを特徴としたものとすれば、収納物のリストを記載した伝票を入れておくことにより、処分の際に便利なものとなる。
【００１４】
加えて、上述した供養品収納袋において、その運搬用外袋の側面所定位置には、収納物を外部から確認するための透明シート材からなる確認用窓が設けられていることを特徴としたものとすれば、中身を取り出すことなく収納している遺品の確認が行えるものとなる。
【００１５】
また加えて、上述した供養品収納袋において、その把持手段には、１本の帯状部材が角丸長方形の環状とされ運搬用外袋の所定の側面から底面を経て対向側の側面まで帯状に並列した状態で設けられ、両端側の弧状部分が側面から突出して１対の持ち手を構成しているものを含む、ことを特徴としたものとすれば、持ち手を構成する帯状部材が重量の加わりやすく破損しやすい底面に亘って設けられたことにより、収納手段としての耐久性に極めて優れたものとなる。
【考案の効果】
【００１６】
脱気用中袋と運搬用外袋の二重構造とし、布団又は／及び衣類の繊維系遺品を脱気用中袋に入れて脱気し運搬用外袋に収装するものとして、脱気用中袋の上方空間に布団・衣類以外の非繊維系遺品を収納するものとした本考案によると、不要となった遺品を遺族の心情を損なうことなく、低コストで処分できるものである。
【図面の簡単な説明】
【００１７】
【図１】（Ａ）は本考案における第１の実施の形態の供養品収納袋の遺品を収納する前の状態を示す斜視図であり、（Ｂ）は（Ａ）の供養品収納袋の脱気用中袋に繊維系遺品を収納した状態で、その上方空間に非繊維系遺品を収納する際の状態を示す斜視図である。
【図２】図１（Ａ）の供養品収納袋に繊維系遺品及び非繊維系遺品を収納した状態を示す縦断面図である。
【図３】図２の供養品収納袋の底面図である。
【図４】本考案における第２の実施の形態の供養品収納袋を示す斜視図である。
【図５】（Ａ）は本考案における第３の実施の形態の供養品収納袋の遺品を収納する前の状態を示す斜視図であり、（Ｂ）は（Ａ）の供養品収納袋の脱気用中袋に繊維系遺品を収納した状態でその上方空間に非繊維系遺品を収納した状態を示す斜視図である。
【図６】図５（Ｂ）の供養品収納袋の縦断面図である。
【考案を実施するための形態】
【００１８】
以下に、図面を参照しながら本考案を実施するための形態を説明する。尚、本考案において、繊維系遺品とは、例えば布団や衣類など構成する素材の殆ど（９５重量％以上）が繊維からなる遺品を指し、非繊維系遺品とは、例えば靴やメガネなど前記繊維系遺品以外の遺品を指すものとする。また、布団には毛布も含まれるものとする。
【００１９】
図１（Ａ）は、本考案における第１の実施の形態である、供養品収納袋１Ａの遺品を収納する前の状態を示す斜視図である。供養品収納袋１Ａは、故人が使用していた布団・衣類である繊維系遺品及び故人が愛用していた靴・帽子・メガネ・書籍などの非繊維系遺品を収納・保管し、所定の場所に集めて僧侶等により供養を行ってから、所定の廃品処理施設に搬送する際の収納手段として用いるものである。
【００２０】
斯かる供養品収納袋１Ａは、布団又は／及び衣類の繊維系遺品を収納するための脱気用中袋３と、繊維系遺品を収納した脱気用中袋３を収装するとともに布団・衣類以外の非繊維系遺品を収納するための運搬用外袋２Ａからなる。その脱気用中袋３は、合成樹脂シートを袋状に形成した収納部３０及び開閉自在な合成樹脂製のチャック３１ａを端縁に沿って有した開口部３１からなる。
【００２１】
そして、脱気用中袋３は、収納部３０に収納物である繊維系遺品を収納した状態で、脱気用通路となる図示しない閉止弁等を介して掃除機等の吸引手段で内部空気を外部に排出することにより、収納部３０の体積を収納物とともに縮小しながら密閉し、その縮小状態を所定期間維持することを特徴としており、一般に布団圧縮袋と言われるものと同様のものである。
【００２２】
一方、運搬用外袋２Ａは、布材を中空直方体状に形成してなるものであり、搬送時に手で掴むための把持手段である持ち手２０ｃ，２０ｃが対向する１対の側面に設けられ、その上面が側面上端側で周方向に設けられたファスナー２０ａにより開閉可能とされて開口部を塞ぐ蓋部２１を構成しており、その開口部を介し４つの側面と底面に囲まれた収納部２０内に脱気用中袋３を収装するようになっている。
【００２３】
また、図１（Ｂ）に示すように、布団や衣類の繊維系遺品を収納した脱気用中袋３の上方に所定サイズの空間を形成しており、この部分に布団又・衣類以外の遺品であってその構成素材の殆どが繊維からなるものではない非繊維系遺品としての靴５０ａ、帽子５０ｂ、メガネ５０ｃなどを収納して、前記繊維系遺品とは分離した状態で保管可能とした点が、本考案における特徴部分となっている。
【００２４】
即ち、上記特許文献１に記載された従来例の布団袋では、故人が使用していた布団の他に故人愛用の非繊維系遺品を一緒にポリ製中袋に収納した場合に、非繊維系遺品に角部があると、ポリ製中袋を破って防臭機能が損なわれたり処分時に繊維系遺品と分ける分別の手間を要したりしていた。
【００２５】
これに対し、本考案においては、運搬用外袋２Ａに収装した脱気用中袋３の上方に所定サイズの空間を形成するものとし、この部分に非繊維系遺品を入れてファスナー２０ａを閉じるようにしたことにより、非繊維系遺品に角部があっても脱気用中袋３を傷つけにくくなることに加え、繊維系遺品とは分離して収納されることにより、処分時における分別の手間を最小限に抑えられるものとした。
【００２６】
尚、図１（Ｂ）の斜視図及び図２の縦断面図に示すように、脱気用中袋３に収納する布団３００ａや衣類３００ｂなどの繊維系遺品は、脱気用中袋３の上面が脱気状態において運搬用外袋２Ａの上面よりも下になる収納量に制限するものとして、脱気用中袋３の上方に非繊維系遺品を納めるための空間が確保されるようにする必要がある。
【００２７】
そして、故人の愛用した靴５０ａ、帽子５０ｂ、メガネ５０ｃなどの非繊維系遺品は、タオルやポリ袋などの包装手段４１で包んだ状態として、図１（Ｂ）に示すように繊維系遺品を脱気状態で収納した脱気用中袋３の上面に置き、ファスナー２０ａで蓋部２１を閉めることで図２のような状態になる。このように、繊維系遺品と非繊維系遺品を分離した状態で収納しながら、全体としてコンパクトな状態に収まるため、保管・搬送コストを低廉に抑えやすいものとなる。
【００２８】
また、図１（Ｂ）に示したように、運搬用外袋２Ａの側面所定位置には、主として透明シート材からなり上から差し込んだ伝票等の書類の記載内容を外部から目視可能とする伝票用ポケット２０ｆが設けられており、この伝票用ポケット２０ｆに収納物のリストを記載した伝票を入れておくことで、処分の際に内容物が容易に確認されるため、利便性に優れたものとなる。
【００２９】
さらに、この運搬用外袋２Ａの側面には、収納物を外部から直接的に目視で確認するための透明シート材からなる確認用窓２０ｂが設けられており、脱気用中袋３に透明素材を使用しておくことにより、中身を取り出す手間を要することなく、収納した内容物の確認が行えるようになっている。
【００３０】
加えて、この運搬用外袋２Ａの側面には、搬送時に手で掴んで把持するための持ち手２０ｃ，２０ｃ，２０ｄ，２０ｄが設けられており、取扱い者が把持して扱いやすいようになっている。尚、持ち手２０ｃ，２０ｃは、図３の底面図に示すように、１本の帯状部材２４０を角丸長方形の環状にして運搬用外袋２Ａの所定の側面から底面を経て対向側の側面まで帯状に並列した状態で設けられており、重量がかかりやく破損しやすい底面の耐久性を格段に向上させたものとなっている。
【００３１】
斯かる構成の本実施の形態によれば、遺品を納めた状態で１箇所に集めて供養することで遺族の心情を損なうことなく処分を行いやすいものとなる。また、全体としてコンパクトな状態に収まって保管・搬送しやすいものとなるため、保管・搬送コストを低く抑えやすいものなり、且つ、繊維系遺品と非繊維系遺品が分離して収納されるとともに収納物が容易に確認できるため、処分コストも低廉に抑えやすいものとなる。
【００３２】
図４は、本考案における第２の実施の形態である供養品収納袋１Ｂの、繊維系遺品を収納した脱気用中袋３を運搬用外袋２Ｂに収装した後で、非繊維系遺品を収納する際の状態を示す斜視図である。本実施の形態の供養品収納袋１Ｂは、前述の供養品収納袋１Ａと基本構成が殆ど共通しているが、運搬用外袋２Ｂ上面にファスナー２２０ａで開閉可能な出し入れ口２２０、及び出し入れ口２２０により内部が外部と連通するとともに脱気用中袋３を収装する空間とは区画されている収納室４４を備えている点を特徴としている。
【００３３】
この収納室４４は、運搬用外袋２Ｂの上面を構成する蓋部２２の中央部において、長手方向に所定長さの切り込みを入れてなる出し入れ口２２０の範囲を少なくとも含むように、蓋部２２の裏面に仕切布４３の端縁側を縫いつけてなるものであり、出し入れ口２２０を介して故人の愛用した靴５０ａ，帽子５０ｂ，メガネ５０ｃなどの非繊維系遺品を出し入れできるようになっている。
【００３４】
そのため、３つの側面に亘るファスナー２０ａを用いて運搬用外袋２Ａの蓋部２１を開閉し非繊維系遺品の出し入れを行う第１の実施の形態と比べて手間が大きく省略されるものとなり、また、収納室４４内の空間が脱気用中袋３を収装する空間とは完全に区画されているため、収納する非繊維系遺品を包装手段４１で包む手間を要しないものとなっている。
【００３５】
図５（Ａ）は、本考案における第３の実施の形態である供養品収納袋１Ｃの、遺品を収納する前の状態の斜視図を示している。本実施の形態も基本構成は前述した第２の実施の形態と殆ど共通しており、運搬用外袋２０Ｃの上面を構成する蓋部２３に、ファスナー２３０ａで開閉する出し入れ口２３０が設けられており、図６の縦断面図に示すように、この出入り口２３０で内部が外部と連通する収納室２４が、脱気用中袋３を収装する空間とは区画された状態で設けられている。
【００３６】
しかし、本実施の形態においては、図５（Ｂ）の収納状態の斜視図に示すように、運搬用外袋２Ｃの上面を開閉するためのファスナー２０ａが側面の上端から下方に所定間隔を有した高さで３つの側面に亘って設けられており、図６の収納状態の縦断面図に示すように、このファスナー２０ａから上の部分が水平の仕切布２３ｂで隔てられて上面までの間に直方体状の空間を形成する所定厚さの蓋部２３を構成しており、この蓋部２３の内側空間が非繊維系遺品を収納するための収納室２４となっている点を特徴としている。
【００３７】
このような構成としたことにより、図６に示すように脱気用中袋３に布団３００ａや衣類３００ｂなどの繊維系遺品を詰め込んで脱気した高さがファスナー２０ａの高さに達した場合でも、予め収納空間が確保されている収納室２４は、靴５０ａ，帽子５０ｂ，メガネ５０ｃなどの非繊維系遺品を容易に収納できるとともに、前述の収納室４４よりも空間に余裕があるため書籍５０ｅなどの他の非繊維系遺品も充分に収納することができる。
【００３８】
尚、上述した実施の形態の供養品収納袋１Ａ，１Ｂ，１Ｃは、例えば葬儀業者に依頼することにより遺族に届けられ、遺族が処分を希望する遺品を収納した後で所定の業者により搬送され、他の供養品収納袋と１箇所に纏められて僧侶により供養され、その後、処理施設に搬送されて処理されるようにすればよい。
【００３９】
以上、述べたように、本考案により、不要となった遺品を遺族の心情を損なうことなく低コストで処分できるものとなった。
【符号の説明】
【００４０】
１Ａ，１Ｂ，１Ｃ  供養品収納袋、２Ａ，２Ｂ，２Ｃ  運搬用外袋、３  脱気用中袋、２０，２４，３０，４４  収納部、２０ａ，２２０ａ，２３０ａ  ファスナー、２０ｂ  確認用窓、２０ｃ，２０ｄ  持ち手、２０ｆ  伝票用ポケット、２１，２２，２３  蓋部、２３ｂ，４３  仕切布、３１  開口部、３１ａ  チャック、４１  包装手段、５０ａ  靴、５０ｂ  帽子、５０ｃ  メガネ、５０ｅ  書籍、２２０，２３０  出し入れ口、２４０  帯状部材、３００ａ  布団、３００ｂ  衣類
【図１】
0003154655.tif 000003
【図２】
0003154655.tif 000004
【図３】
0003154655.tif 000005
【図４】
0003154655.tif 000006
【図５】
0003154655.tif 000007
【図６】
0003154655.tif 000008